(57)【要約】【課題】  電圧または電流の制御操作によって、照明光の色を広範囲にわたって木目細かく瞬時に変化させ、その色調光された照明光を照明対象に向けて照射し、且つ色調光照明装置を小型化・省電力化すると共に装置の作動音を抑制し、スタジオ照明や舞台照明あるいは美術館や博物館における照明に適合した色調光照明装置を構成する。【解決手段】  白色光源または赤緑青・３色光源と、発光ダイオードカラーディスプレーや反射形液晶カラーディスプレーの発色面のように電圧・電流制御により所望の色が表示される発色反射面を備え、白色光源または赤緑青・３色光源からの照射光を、その発色反射面で反射させ、且つその発色反射面の表示色に賦色させて照明対象へ向けた照明光に転換する。【選択図】  図１
2008123921.tif 000002
【特許請求の範囲】
【請求項１】
白色光源と、電圧または／および電流の制御により所望の色が映し出され表示される発色反射面を有しその発色反射面で前記白色光源からの照射光を反射して照明光に転換する色調光反射パネルと、前記色調光反射パネルを作動させる前記電圧または／および電流を制御する色調光制御回路を備えたことを特徴とする色調光照明装置。
【請求項２】
白色光源と、発光ダイオードカラーディスプレーの発色面を用いた発色反射面を有しその発色反射面で前記白色光源からの照射光を反射して照明光に転換する発光ダイオード色調光反射パネルと、前記発光ダイオード色調光反射パネルの発光ダイオードに通ずる電流を制御する色調光制御回路を備えたことを特徴とする色調光照明装置。
【請求項３】
白色光源と、反射形液晶カラーディスプレーの発色面を用いた発色反射面を有しその発色反射面で前記白色光源からの照射光を反射して照明光に転換する液晶色調光反射パネルと、前記液晶色調光反射パネルの液晶に印加する電圧を制御する色調光制御回路を備えたことを特徴とする色調光照明装置。
【請求項４】
白色光源と、電圧または／および電流の制御により所望の色が映し出され表示される発色反射面を有しその発色反射面で前記白色光源からの照射光を反射して照明光に転換する色調光反射パネルと、前記色調光反射パネルを作動させる前記電圧または／および電流を制御する色調光制御回路と、前記は白色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記白色光源を装着し、前記筒状Ｖ字形寸胴の屈曲部の内部に前記色調光反射パネルを配設したことを特徴とする色調光照明装置。
【請求項５】
白色光源と、発光ダイオードカラーディスプレーの発色面を用いた発色反射面を有しその発色反射面で前記白色光源からの照射光を反射して照明光に転換する発光ダイオード色調光反射パネルと、前記発光ダイオード色調光反射パネルの発光ダイオードに通ずる電流を制御する色調光制御回路と、前記白色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記白色光源を装着し、前記筒状Ｖ字形寸胴の屈曲部の内部に前記発光ダイオード色調光反射パネルを配設したことを特徴とする色調光照明装置。
【請求項６】
白色光源と、反射形液晶カラーディスプレーの発色面を用いた発色反射面を有しその発色反射面で前記白色光源からの照射光を反射して照明光に転換する液晶色調光反射パネルと、前記液晶色調光反射パネルの液晶に印加する電圧を制御する色調光制御回路と、前記白色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記白色光源を装着し、前記筒状Ｖ字形寸胴の屈曲部の内部に前記液晶色調光反射パネルを配設したことを特徴とする色調光照明装置。
【請求項７】
赤緑青・３色光源と、電圧または／および電流の制御により所望の色が映し出され表示される発色反射面を有しその発色反射面で前記赤緑青・３色光源からの照射光を反射して照明光に転換する色調光反射パネルと、前記色調光反射パネルを作動させる電圧または／および電流を制御する色調光制御回路を備えたことを特徴とする色調光照明装置。
【請求項８】
赤緑青・３色光源と、発光ダイオードカラーディスプレーの発色面を用いた発色反射面を有しその発色反射面で前記赤緑青・３色光源からの照射光を反射して照明光に転換する発光ダイオード色調光反射パネルと、前記発光ダイオード色調光反射パネルの発光ダイオードに通ずる電流を制御する色調光制御回路を備えたことを特徴とする色調光照明装置。
【請求項９】
赤緑青・３色光源と、反射形液晶カラーディスプレーの発色面を用いた発色反射面を有しその発色反射面で前記赤緑青・３色光源からの照射光を反射して照明光に転換する液晶色調光反射パネルと、前記液晶色調光反射パネルの液晶に印加する電圧を制御する色調光制御回路を備えたことを特徴とする色調光照明装置。
【請求項１０】
赤緑青・３色光源と、電圧または電流の制御により所望の色が映し出され表示される発色反射面を有しその発色反射面で前記赤緑青・３色光源からの照射光を反射して照明光に転換する色調光反射パネルと、前記色調光反射パネルを作動させる前記電圧または／および電流を制御する色調光制御回路と、前記赤緑青・３色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記赤緑青・３色光源を装着し、前記筒状Ｖ字形寸胴の屈曲部の内部に前記色調光反射パネルを配設したことを特徴とする色調光照明装置。
【請求項１１】
赤緑青・３色光源と、発光ダイオードカラーディスプレーの発色面を用いた発色反射面を有しその発色反射面で前記赤緑青・３色光源からの照射光を反射して照明光に転換する発光ダイオード色調光反射パネルと、前記発光ダイオード色調光反射パネルの発光ダイオードに通ずる電流を制御する色調光制御回路と、前記赤緑青・３色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記赤緑青・３色光源を装着し、前記筒状Ｖ字形寸胴の屈曲部の内部に前記発光ダイオード色調光反射パネルを配設したことを特徴とする色調光照明装置。
【請求項１２】
赤緑青・３色光源と、反射形液晶カラーディスプレーの発色面を用いた発色反射面を有しその発色反射面で前記赤緑青・３色光源からの照射光を反射して照明光に転換する液晶色調光反射パネルと、前記液晶色調光反射パネルの液晶に印加する電圧を制御する色調光制御回路と、前記赤緑青・３色光源からの照射光を前記発色反射面に導く筒状の光源側寸胴部および前記照明光を照明対象に向けて導く筒状の出光側寸胴部によってＶ字形に形成された筒状Ｖ字形寸胴を備え、前記光源側寸胴部の先端に前記赤緑青・３色光源を装着し、前記筒状Ｖ字形寸胴の屈曲部の内部に前記液晶色調光反射パネルを配設したことを特徴とする色調光照明装置。
【発明の詳細な説明】
【技術分野】
【０００１】
この発明は、スタジオ照明や舞台照明、あるいは美術館や博物館における展示物照明や館内照明などに用いる照明装置に関するもので、電気的制御操作によって、すなわち電圧または電流の制御操作によって、照明光の色を瞬時に且つ任意の所望の色に変化させて照明対象に投光することができる色調光照明装置に関するものである。
【背景技術】
【０００２】
スタジオ照明や舞台照明に古くから使用されてきた色調光照明装置としては、互いに色が異なって透光性の高い複数枚の色紙やカラーフィルム（以下、総じて「カラーフィルム」という）をモータによって投光用レンズの前で移動させ、それらのカラーフィルムの中から所望の色のカラーフィルムを選択して投光用レンズの前に設定し、光源からの光を、その選択されたカラーフィルムを透過させ照明対象に向けて照射する投光器が多用されてきた。しかし、このような従来の色調光照明装置では、カラーフィルムを移動・選択・設定するための機構と、カラーフィルムを移動させるモータを必要とすることから、装置が大型化し消費電力も嵩む上に、モータの作動音やカラーフィルムの移動摩擦音などの騒音も生じ、またカラーフィルムの移動・選択・設定にかなりの操作時間を要し、更に装置に装着できるカラーフィルムの色数も自ずと限られるので、照明光の色を広範囲にわたって木目細かく且つ瞬時に変化させることができなかった。
【０００３】
他方、赤色発光ダイオード、緑色発光ダイオード、青色発光ダイオードをドットマトリックス状に配設し、それらの発光ダイオードの作動電流を制御してフルカラーを生成し表示する色調光装置が、例えば特開平11-149276号公開特許公報（特許文献１）や米国特許第6,016.038号明細書（特許文献２）に見られるように周知である。また、赤色発光ダイオードと緑色発光ダイオードと青色発光ダイオードを、ドットマトリックス状に均等且つ高密度に平面分布させて配設し、それら赤・緑・青・発光ダイオードに通ずる電流を制御することにより、ディスプレー面（発色面）に所望の色を生成して映し出す発光ダイオードカラーディスプレーが既に広く実用に供されて周知である。そして、赤色発光ダイオードと緑色発光ダイオードと青色発光ダイオードをドットマトリックス状に均等に平面分布させて配設する様式として、それら３色の発光ダイオードを交互にストライブ型に配置した様式や、それら３色の発光ダイオードを交互にモザイク型（ダイアゴナル型）に配置した様式や、それら３色の発光ダイオードを交互にデルタ型（トライアングル型）に配置した様式などが周知である。更にまた、赤色カラーフィルタを備えた赤色サブ画素と、緑色カラーフィルタを備えた緑色サブ画素と、青色カラーフィルタを備えた青色サブ画素を、交互にストライブ型、あるいはモザイク型（ダイアゴナル型）、あるいはデルタ型（トライアングル型）等に高密度に平面分布させて配設し、それら赤・緑・青・サブ画素内の液晶に印加する電圧を制御することにより、それらのサブ画素群の上に形成されたディスプレー面（発色面）に任意の色を生成して映し出す反射形液晶カラーディスプレーも既に広く実用に供されて周知である。しかしながら、そのような発光ダイオードカラーディスプレーや反射形液晶カラーディスプレーで生成され映し出される色の光は照度が十分でないことから、その映し出された色彩光をそのままスタジオ照明や舞台照明、あるいは美術館や博物館における照明光として用いることはできない。
【特許文献１】特開平11-149276号公開特許公報
【特許文献２】米国特許第6,016.038号明細書
【発明の開示】
【発明が解決しようとする課題】
【０００４】
この発明は、予め用意した幾つかの色のカラーフィルムの中から任意の色のカラーフィルムを選択し設定した上で光源からの光をその選択されたカラーフィルムを通して照明対象に投光する従来の色調光照明装置における上記の難点を根本的に改善するもので、極めて簡単な電気的制御操作（電圧または電流の制御操作）によって、照明光の色を広範囲にわたって木目細かく且つ瞬時に変化させ得るようにし、また色調光された照明光を高い照度で照明対象に照射できるようにし、且つ色調光照明装置の小型化と省電力化と作動音の抑制を図り、スタジオ照明や舞台照明あるいは美術館や博物館における照明に適合する優れた色調光照明装置を構成しようとするものである。
【課題を解決するための手段】
【０００５】
上記の課題を解決するために、この発明に係る色調光照明装置は、白色光源あるいは赤緑青・３色光源と、電圧または／および電流の制御により色調光された所望の色が映し出され表示される発色反射面を有しその発色反射面で上記の白色光源あるいは赤緑青・３色光源からの照射光（上記の白色光源あるいは赤緑青・３色光源から上記の発色反射面への「入射光」）を反射して照明対象へ向けた照明光（この発明に係る色調光照明装置で生成されて照明対象に向けて放出される「出光」）に転換する色調光反射パネルと、その色調光反射パルの作動電圧または／および作動電流を制御する色調光制御回路で構成する。
【０００６】
更に、上記の白色光源あるいは赤緑青・３色光源からの照射光（入射光）を効率良く発色反射面に導き且つその照射光（入射光）を上記の発色反射面で反射させて生成した照明光（出光）を効率良く照明対象に向けて導くために、上記の白色光源あるいは赤緑青・３色光源からの照射光（入射光）を発色反射面に導く筒状の光源側寸胴部と、上記の照明光（出光）を照明対象に向けて導く筒状の出光側寸胴部によってＶ字形に形成された筒状Ｖ字形寸胴を設け、その光源側寸胴部の先端に上記の白色光源あるいは赤緑青・３色光源を装着すると共に、その筒状Ｖ字形寸胴の屈曲部の内部に上記の発色反射面を有する色調光反射パネルを配設する。
【０００７】
また、上記の色調光反射パネルを、映像機器や情報関連機器として既に多用されてきた発光ダイオードカラーディスプレーの発色面、あるいは反射形液晶カラーディスプレーの発色面で構成し、その色調光反射パネルの作動電圧または／および作動電流を制御する色調光制御回路は、上記の発光ダイオードカラーディスプレーの発光ダイオードに通ずる電流を制御する色調光制御回路、あるいは上記反射形液晶カラーディスプレーの液晶に印加する電圧を制御する色調光制御回路で構成する。
【０００８】
すなわち、この発明に係る色調光照明装置は、白色光源または赤緑青・３色光源と、電圧または／および電流の制御により色調光された所望の色が映し出され表示される発色反射面を有しその発色反射面で上記の白色光源または赤緑青・３色光源からの照射光（入射光）を反射させて照明対象へ向けた照明光（出光）に転換する色調光反射パネルと、上記の色調光反射パネルの作動電圧または／および作動電流を制御する色調光制御回路を備えたものである。
【０００９】
また、この発明に係る色調光照明装置は、白色光源または赤緑青・３色光源と、発光ダイオードカラーディスプレーの発色面を用いた発色反射面を有しその発色反射面で上記の白色光源または赤緑青・３色光源からの照射光（入射光）を反射して照明光（出光）に転換する発光ダイオード色調光反射パネルと、その発光ダイオードカラーディスプレーの発光ダイオードに通ずる電流を制御する色調光制御回路を備えたものである。
【００１０】
また、この発明に係る色調光照明装置は、白色光源または赤緑青・３色光源と、反射形液晶カラーディスプレーの発色面を用いた発色反射面を有しその発色反射面で上記の白色光源または赤緑青・３色光源からの照射光（入射光）を反射して照明光（出光）に転換する液晶色調光反射パネルと、その液晶色調光反射パネルの液晶に印加する電圧を制御する色調光制御回路を備えたものである。
【００１１】
更にまた、この発明に係る色調光照明装置は、白色光源または赤緑青・３色光源と、電圧または電流の制御により色調光された所望の色が映し出され表示される発色反射面を有しその発色反射面で上記の白色光源または赤緑青・３色光源からの照射光（入射光）を反射して照明光（出光）に転換する色調光反射パネルと、その色調光反射パネルの作動電圧または／および作動電流を制御する色調光制御回路と、上記の白色光源または赤緑青・３色光源からの照射光（入射光）を上記の発色反射面に導く筒状の光源側寸胴部および上記の照明光（出光）を照明対象に向けて導く筒状の出光側寸胴部によってＶ字形に形成された筒状Ｖ字形寸胴を備え、上記の光源側寸胴部の先端に上記の白色光源または赤緑青・３色光源を装着し、上記の筒状Ｖ字形寸胴の屈曲部の内部に上記の色調光反射パネルを配設したものである。
【発明の効果】
【００１２】
この発明に係る色調光照明装置は、従来多用されてきた投光照明装置のような、予め用意した多種類の色のカラーフィルムの中から所望の色のカラーフィルムを選択して光源からの光路に配設するものではないので、モータで駆動するカラーフィルム移動・選択・設定機構を必要とせず、したがって色調光照明装置を大幅に小型化することができる上に、装置の消費電力と作動音を大幅に低減させることができ、更に最も重要な効果として、電圧・電流制御による極めて簡単な色調光制御操作によって、照明光の色を極めて広範囲にわたって木目細かく且つ瞬時に変化させることができる。そして、白色光源あるいは赤緑青・３色光源からの照射光（入射光）を色調光反射パネルの発色反射面で任意の所望の色に賦色して反射させて、その反射光を照明対象へ向けた照明光（出光）として照射できることから、任意の所望の色の照明光を高い照度で照明対象に向けて照射することができ、スタジオ照明や舞台照明あるいは美術館や博物館における照明に用いる色調光照明装置として極めて優れたものとなる。また、既に広く実用に供されている発光ダイオードカラーディスプレーの発色面や、反射形液晶カラーディスプレーの発色面を、色調光反射パネルの発色反射面として構成することができるので、色調光操作も簡単で習熟し易いものである。
【発明を実施するための最良の形態】
【００１３】
この発明の最良の実施形態の一つは、白色光源あるいは赤緑青・３色光源と、発光ダイオードカラーディスプレーの発色面を用いた発色反射面を有しその発色反射面で上記の白色光源あるいは赤緑青・３色光源からの照射光（入射光）を反射して照明光（出光）に転換する発光ダイオード色調光反射パネルと、上記の発光ダイオード色調光反射パネルの発光ダイオードに通ずる電流を制御する色調光制御回路と、上記の白色光源あるいは赤緑青・３色光源からの照射光（入射光）を上記の発色反射面に導く筒状の光源側寸胴部、および上記の照明光（出光）を照明対象に向けて導く筒状の出光側寸胴部によってＶ字形に形成された筒状Ｖ字形寸胴を備え、上記の光源側寸胴部の先端に上記の白色光源あるいは赤緑青・３色光源を装着し、上記の筒状Ｖ字形寸胴の屈曲部の内部に上記の発光ダイオード色調光反射パネルを配設した色調光照明装置である。
【００１４】
この発明の他の最良の実施形態は、白色光源あるいは赤緑青・３色光源と、反射形液晶カラーディスプレーの発色面を用いた発色反射面を有しその発色反射面で上記の白色光源あるいは赤緑青・３色光源からの照射光（入射光）を反射させて照明光（出光）に転換する液晶色調光反射パネルと、その液晶色調光反射パネルの液晶に印加する電圧を制御する色調光制御回路と、上記の白色光源あるいは赤緑青・３色光源からの照射光（入射光）を上記の発色反射面に導く筒状の光源側寸胴部および上記の照明光（出光）を照明対象に向けて導く筒状の出光側寸胴部によってＶ字形に形成された筒状Ｖ字形寸胴を備え、上記の光源側寸胴部の先端に上記の白色光源あるいは赤緑青・３色光源を装着し、上記の筒状Ｖ字形寸胴の屈曲部の内部に上記の液晶色調光反射パネルを配設した色調光照明装置である。
【実施例】
【００１５】
以下この発明を、その実施例を示す図面を参考にして説明する。図１は、この発明に係る色調光照明装置の側断面図で、同色調光照明装置の要部を断面で示した側面図である。図２ならびに図３は、それぞれこの発明に係る色調光照明装置の主要部となる色調光反射パネルの構成・機能の説明用略断面図で、図２は色調光反射パネルの一実施例であるところの発光ダイオード色調光反射パネル（略して「LED色調光反射パネル」あるいは「LEDパネル」という）の構成・機能説明用略断面図であり、図３は色調光反射パネルの他の実施例であるところの液晶色調光反射パネル（略して「LCD色調光反射パネル」、あるいは「LCDパネル」という）の構成・機能説明用略断面図である。図４は、上記の発光ダイオード色調光反射パネルの発光ダイオードに通ずる電流を制御する色調光制御回路図である。図５は、上記の液晶色調光反射パネルの液晶に印加する電圧を制御する色調光制御回路図である。図６は、この発明に係る色調光照明装置の光源の一実施例として用いる赤緑青・３色光源の色調光制御回路図である。図７ないし図１３は、それぞれこの発明に係る色調光照明装置の色調光特性を示す色度図で、周知のＸＹＺ表色系色度図に準じたものである。図１４は周知のマンセル表色系・４０色相環図である。
【００１６】
図１において、１は色調光照明装置の筒状Ｖ字形寸胴で、筒状の光源側寸胴部１ａと筒状の出光側寸胴部１ｂとでＶ字形に形成され、且つ光源側寸胴部１ａと出光側寸胴部１ｂの間の寸胴Ｖ字角度βを調整できるように構成されている。すなわち、寸胴Ｖ字角度βを加減できる状態で光源側寸胴部１ａと出光側寸胴部１ｂが結合された筒状Ｖ字形寸胴１の屈曲部１ｃに、寸胴Ｖ字角度調整つまみ１ｄが付設され、その寸胴Ｖ字角度調整つまみ１ｄによって寸胴Ｖ字角度β（光源側寸胴部１ａと出光側寸胴部１ｂの間の開き角度）を変えて調整できるように構成されている。２は床上で移動可能な支柱で、支柱２は、支柱調整つまみ２ａにより高さ方向（矢印Ｍ１に示す方向）に伸縮可能で、且つ左右回転方向（矢印Ｍ２に示す方向）に３６０°回動可能であり、支柱２を任意の高さと任意の左右回転位置に位置決めすることができる。そして筒状Ｖ字形寸胴１は、支柱２の上端に、支軸２ｂを軸として矢印Ｍ３に示すように回動可能に支持されている。すなわち、支軸２ｂが水平状態で支柱２の上端に取り付けられており、筒状Ｖ字形寸胴１は、支軸２ｂによって支柱２の上端に矢印Ｍ３に示すように回動可能に保持されている。３は出光方向調整レバーで、出光方向調整レバー３は筒状Ｖ字形寸胴１に付設されており、出光方向調整レバー３を上下左右に動かすことにより、筒状Ｖ字形寸胴１を、支軸２ｂを軸として矢印Ｍ３に示すように回動させ、また支柱２を軸として矢印Ｍ２に示すように左右に回動させることができ、出光側寸胴部１ｂの向き（矢印Ｍ５方向）を所望の方向に設定することができる。すなわち、出光側寸胴部１ｂは照明対象Ｗに向けられるが、出光方向調整レバー３を操作して、照明対象Ｗに向けられる出光側寸胴部１ｂの向き（矢印Ｍ５方向）を任意に調整して保持することができる。なお、本願発明において「出光」とは、色調光照明装置から照射される出力光を意味し、同時にその「出光」は、色調光照明装置から照明対象に向けて照射される照明光でもある。
【００１７】
４は、この発明に係る色調光照明装置の中核を成す色調光反射パネルで、筒状Ｖ字形寸胴１の屈曲部１ｃの内部に配設されている。また、色調光反射パネル４の上面は、電圧または／および電流の制御によって色調光された所望の色が映し出され表示される発色反射面４ａとして構成されている。そして、色調光反射パネル４は、発光ダイオード色調光反射パネル４１（必要に応じて「LED色調光反射パネル」あるいは「LEDパネル」と略称する）、あるいは液晶色調光反射パネル４２（必要に応じて「LCD色調光反射パネル」あるいは「LCDパネル」と略称する）で構成されている。６は、発色反射面４ａに映し出され表示される色を所望の色に調光するための色調光制御装置で、発光ダイオード色調光反射パネル４１を作動させる色調光制御回路６ａ、あるいは液晶色調光反射パネル４２を作動させる色調光制御回路６ｂを内蔵して支柱２に付設されている。筒状Ｖ字形寸胴１の光源側寸胴部1aの先端には、光源５が装着され、光源５からの照射光Ｌ１、すなわち光源５から光源側寸胴部1a内に射し込んだ入射光Ｌ１は、色調光反射パネル４の発色反射面４ａで反射して照明光Ｌ２、すなわち出光Ｌ２と成り、その照明光（出光）Ｌ２は出光側寸胴部１ｂ内を通って照明対象Ｗに向けて照射される。そして、光源５からの照射光（入射光）Ｌ１が色調光反射パネル４の発色反射面４ａで反射する過程で、照射光（入射光）Ｌ１は、発色反射面４ａに映し出され表示されている所望の色に賦色されて照明光（出光）Ｌ２に転換され、その所望の色に賦色された照明光（出光）Ｌ２が、出光側寸胴部１ｂに案内されて照明対象Ｗに向けて照射され照明対象Ｗを照らすものである。また、光源５からの照射光（入射光）Ｌ１が、色調光反射パネル４の発色反射面４ａで反射する過程で、発色反射面４ａに映し出され表示されている所望の色に賦色され易いように、光源５としては白色光源５１あるいは赤緑青・３色光源５２を用いている。白色光源５１としては、一般に白色光を発すると認識されているハロゲンランプやキセノンランプを用い、赤緑青・３色光源５２としては、赤色白熱電球５２Ｒと緑色白熱電球５２Ｇと青色白熱電球５２Ｂを一体に組み合わせた３色白熱光源を用いている。また、色調光反射パネル４の実施例として、既に映像機器や情報関連機器に多用されて周知の発光ダイオードカラーディスプレーの発色面を発色反射面４１ａとした発光ダイオード色調光反射パネル４１や、反射形液晶カラーディスプレーの発色面を発色反射面４２ａとした液晶色調光反射パネル４2を用いている。
【００１８】
次に、色調光反射パネル４の一つの実施例であるところの発光ダイオード色調光反射パネルの基本構成・機能を、図２を参考に説明する。図２において、４１は発光ダイオード色調光反射パネルで、発色反射面４１ａ、赤色発光ダイオードＲ、緑色発光ダイオードＧ、青色発光ダイオードＢなどからなり、多数の赤色発光ダイオードＲと緑色発光ダイオードＧと青色発光ダイオードＢが、互いにストライブ型、モザイク型（ダイアゴナル型）あるいはデルタ型（トライアングル型）に高密度で平面配置された状態で、発色反射面４１ａの裏側に配設されており、それらの赤色発光ダイオードＲ、緑色発光ダイオードＧ、青色発光ダイオードＢに通ずる電流を制御することにより、任意の所望の色を発色反射面４１ａに映し出し表示することができるものである。図４は、上記の赤色発光ダイオードＲ、緑色発光ダイオードＧ、青色発光ダイオードＢに通ずる電流を制御する色調光制御回路６ａを示すもので、赤色発光ダイオードＲ群、緑色発光ダイオードＧ群、青色発光ダイオードＢ群にそれぞれ通ずる電流を、電流調整器CR，CG，CBでもってそれぞれ加減することにより、赤色発光ダイオードＲ群、緑色発光ダイオードＧ群、青色発光ダイオードＢ群の相対的発光度合いを変えて発色反射面４１ａに所望の色を映し出し表示することができる。そして、光源５（白色光源５１あるいは赤緑青・３色光源５２）から電源側寸胴部１ａ内を通って発色反射面４１ａに導かれた照射光（入射光）Ｌ１は、発色反射面４１ａで反射し、その反射過程で、白色光源５１あるいは赤緑青・３色光源５２からの照射光（入射光）Ｌ１は、発色反射面４１ａに表示されている所望の色に賦色されて照明光（出光）Ｌ２に転換され、その所望の色が賦色された照明光（出光）が照明対象Ｗに向けて照射される。なおθは、入射光Ｌ１と、その入射光の反射で生成された照明光（出光）Ｌ２の間の角度で、前記の寸胴Ｖ字角度βは、この角度θと合致する。
【００１９】
次に、色調光反射パネル４の他の実施例であるところの液晶色調光反射パネルの基本構成・機能を、図３を参考に説明する。図３において、４２は液晶色調光反射パネルで、発色反射面４２ａ、偏光板４２ｂ、赤色フィルターＲＦ、緑色フィルターＧＦ、青色フィルターＢＦ、共通電極４２ｃ、多数のサブ画素電極４２ｄｒ，４２ｄｇ，４２ｄｂ、アレイ基板４２ｅ、偏光板４２ｇと、前記の共通電極４２ｃとサブ画素電極４２ｄｒ，４２ｄｇ，４２ｄｂの間に介在する液晶４２ｆなどから成っている。また、多数の赤色フィルターＲＦ、緑色フィルターＧＦ、青色フィルターＢＦは、互いにストライブ型、モザイク型（ダイアゴナル型）あるいはデルタ型（トライアングル型）に高密度で平面配置された状態で、共通電極４２ｃと発色反射面４２ａの間に配設されており、各サブ画素電極４２ｄｒは各赤色フィルターＲＦに対向し、各サブ画素電極４２ｄｇは各緑色フィルターＧＦに対向し、各サブ画素電極４２ｄｂは各青色フィルターＢＦに対向している。そして、共通電極４２ｃと各サブ画素電極４２ｄｒ，４２ｄｇ，４２ｄｂ間に印加される電圧を加減し、共通電極４２ｃと各サブ画素電極４２ｄｒ，４２ｄｇ，４２ｄｂ間に介在する液晶４２ｆに印加される電圧を加減制御することにより、任意の所望の色を液晶色調光反射パネル４２の発色反射面４２ａに映し出し表示させることができる。図５は、上記の液晶４２ｆに印加される電圧を加減制御する色調光制御回路６ｂを示し、共通電極４２ｃと各サブ画素電極４２ｄｒ，４２ｄｇ，４２ｄｂを介して、共通電極４２ｃと各サブ画素電極４２ｄｒ，４２ｄｇ，４２ｄｂの間に介在する液晶４２ｆにそれぞれ印加される電圧を電圧調整器ＶＲ，ＶＧ，ＶＢでもってそれぞれ加減することにより、赤色フィルターＲＦ、緑色フィルターＧＦ、青色フィルターＢＦを通して発色反射面４２ａに達する相対的光量を変えて発色反射面４２ａに所望の色を映し出し表示させることができる。そして、光源５（白色光源５１あるいは赤緑青・３色光源５２）から電源側寸胴部１ａ内を通って発色反射面４２ａに導かれた照射光（入射光）Ｌ１は発色反射面４２ａで反射し、その反射過程で、白色光源５１あるいは赤緑青・３色光源５２からの照射光（入射光）Ｌ１は、発色反射面４２ａに表示された所望の色に賦色されて照明光（出光）Ｌ２に転換され、その照明光（出光）が照明対象Ｗに向けて照射される。
【００２０】
図６は、赤緑青・３色光源５２の色調光制御回路図で、赤緑青・３色光源５２は、赤色白熱電球５２Ｒと緑色白熱電球５２Ｇと青色白熱電球５２Ｂが一体に組み合わされて成り、赤色白熱電球５２Ｒ、緑色白熱電球５２Ｇ、青色白熱電球５２Ｂのそれぞれが色調光器５３Ｒ，５３Ｇ，５３Ｂを介して電源に接続されている。そして、各色調光器５３Ｒ，５３Ｇ，５３Ｂは、それぞれ赤色白熱電球５２Ｒ、緑色白熱電球５２Ｇ、青色白熱電球５２Ｂに対する電圧・電流を個別に加減するもので、色調光器５３Ｒ，５３Ｇ，５３Ｂを互いに調整することにより、赤緑青・３色光源５２からの照射光の色を、色調光反射パネル４（４１，４２）の発色反射面４ａ（４１ａ，４２ａ）に映し出され表示された所望の色に近づけることができる。その結果、色調光照明装置の光源５として、白色光源５１に代えて赤緑青・３色光源５２を用いれば、白色光源５１を用いる場合に比して、赤緑青・３色光源５２から出力される照射光（入射光）の方が、発色反射面４ａ（４１ａ，４２ａ）に映し出され表示された所望の色に賦色され易くなり、現に色調光反射パネル４（ＬＥＤパネル４１，ＬＣＤパネル４２）の発色反射面４ａ（４１ａ，４２ａ）で反射して生成された照明光（出光）の色と、その照明光（出光）に求めた所望の色との乖離度を小さくすることができる。すなわち、所望の色の照明光（出光）を得る色調光手段として、色調光反射パネル４（ＬＥＤパネル４１，ＬＣＤパネル４２）の発色反射面４ａ（４１ａ，４２ａ）における色調光と赤緑青・３色光源５２における色調光との二重の色調光効果が重畳されて、所望の照明光の色が高度に再現された照明光（出光）を得ることができる。
【００２１】
次に、この発明に係る色調光照明装置を用いた照明実験結果について説明する。その実験の大要は次の通りである。
【００２２】
前記の各図に示したような、白色光源５１と、色調光器５３Ｒ，５３Ｇ，５３Ｂが付加接続された赤緑青・３色光源５２と、ＬＥＤ色調光反射パネル４１ならびにＬＣＤ色調光反射パネル４２と、ＬＥＤ色調光反射パネル４１および電流調整器ＣＲ，ＣＧ，ＣＢを含む色調光制御回路６ａと、ＬＣＤ色調光反射パネル４２および電圧調整器ＶＲ，ＶＧ，ＶＢを含む色調光制御回路６ｂと、筒状Ｖ字形寸胴１を用意し、且つ図１４に示す周知のマンセル表色系・４０色相環における、５Ｒ（赤色）、５ＲＰ（赤紫色）、５Ｐ（紫色）、５ＰＢ（紫青色）、５Ｂ（青色）、５ＢＧ（青緑色）、５Ｇ（緑色）、５ＧＹ（黄緑色）、５Ｙ（黄色）、５ＹＲ（橙色）の１０色を、照明光（出色）の基準色として選定する。そして上記基準色は、照明光（出光）に求める所望の色をも意味するものである。
【００２３】
その上で、ＬＥＤ色調光反射パネル４１を用いた色調光照明装置では、図４で示した色調光制御回路６ａの電流調整器ＣＲ，ＣＧ，ＣＢを調整することにより、ＬＥＤ色調光反射パネル４１の発色反射面４１ａに、上記の基準色５Ｒ，５ＲＰ，５Ｐ，５ＰＢ，５Ｂ，５ＢＧ，５Ｇ，５ＧＹ，５Ｙ，５ＹＲの１０色にそれぞれ相当する１０色のＬＥＤパネル表示色を順次生成して表示させるようにし、次いで、その各ＬＥＤパネル表示色を順次切り替えて、そのＬＥＤパネル表示色の切り替えの都度、白色光源５１から、また赤緑青・３色光源５２から、それぞれ別種の光源として、ＬＥＤ色調光反射パネル４１の発色反射面４１ａに向けて照射光（入射光）Ｌ１を照射して発色反射面４１ａで反射させ、その反射の過程で発色反射面４１ａに映し出し表示したＬＥＤパネル表示色に賦色された照明光（出光）Ｌ２を、色彩色差計と照度計（いずれも図示省略）で受けて、その賦色された照明光（出光）Ｌ２の色度と照度を計測する。そして、ＬＥＤ色調光反射パネル４１の発色反射面４１ａに表示された１０色のＬＥＤパネル表示色の色度と、その各ＬＥＤパネル表示色に賦色された１０色の照明光（出光）Ｌ２の色度を比較し、その各対応するＬＥＤパネル表示色と照明光（出光）Ｌ２の色の間の色ずれを確認し、その色ずれ度合いから、所望の照明光の色すなわちＬＥＤパネル表示色に対する照明光（出光）の色の再現度を評価するものである。
【００２４】
同様にＬＣＤ色調光反射パネル４２を用いた色調光照明装置では、図５で示した色調光制御回路６ｂの電圧調整器ＶＲ，ＶＧ，ＶＢを調整することにより、ＬＣＤ色調光反射パネル４２の発色反射面４２ａに、上記の基準色５Ｒ，５ＲＰ，５Ｐ，５ＰＢ，５Ｂ，５ＢＧ，５Ｇ，５ＧＹ，５Ｙ，５ＹＲの１０色にそれぞれ相当する１０色のＬＣＤパネル表示色を順次生成して表示させるようにし、次いで、その各ＬＣＤパネル表示色を順次切り替えて、そのＬＣＤパネル表示色の切り替えの都度、白色光源５１から、また赤緑青・３色光源５２から、それぞれ別種の光源として、ＬＣＤ色調光反射パネル４２の発色反射面４２ａに向けて照射光（入射光）Ｌ１を照射して発色反射面４２ａで反射させ、その反射の過程で発色反射面４２ａに映し出し表示したＬＣＤパネル表示色に賦色された照明光（出光）Ｌ２を、色彩色差計と照度計（いずれも図示省略）で受けて、その賦色された照明光（出光）Ｌ２の色度と照度を計測する。そして、ＬＣＤ色調光反射パネル４２の発色反射面４２ａに表示された１０色のＬＣＤパネル表示色の色度と、その各ＬＣＤパネル表示色に賦色された１０色の照明光（出光）Ｌ２の色度を比較し、その各対応するＬＣＤパネル表示色と照明光（出光）Ｌ２の色の間の色ずれを確認し、その色ずれ度合いから、所望の照明光の色すなわちＬＣＤパネル表示色に対する照明光（出光）の色の再現度を評価するものである。
【００２５】
また、この発明に係る色調光照明装置の構成については、光源に関して白色光源５１あるいは赤緑青・３色光源５２の選択、色調光反射パネルに関してＬＥＤ色調光パネル４１あるいはＬＣＤ色調光反射パネル４２の選択、加えて筒状Ｖ字形寸胴１の使用有無の選択など、種々の選択肢の組み合わせがあり、それらの選択肢の組み合わせの中から、幾つかの異なる組み合わせ構成の色調光照明装置について照明光に関する計測実験を行っている。更にまた、上記の照明光計測実験においては、光源照度A1、色調光反射パネル照度（ＬＥＤパネル照度あるいはＬＣＤパネル照度）A0、出光照度（照明光照度）Ａなども合わせて計測して、出光効率に関しても考察している。なお、光源が白色光源５１である場合、光源Ａが４００ [lx]になるように設定している。これらの照明光計測実験の結果は、以下の［表１］ないし［表８］、ならびに［図７］ないし［図１３］に示す通りである。
【００２６】
［表１］  LED色調光反射パネルの表示色特性
【表１】
2008123921.tif 000003
【００２７】
［表２］ 赤緑青・３色光源の照射光色特性
【表２】
2008123921.tif 000004
【００２８】
［表３］  色調光照明装置の出光（照明光）色特性
［装置構成：白色光源(ハロゲンランプ 75W)／LED色調光反射パネル／寸胴無し］
【表３】
2008123921.tif 000005
【００２９】
［表４］  色調光照明装置の出光（照明光）色特性
［装置構成：白色光源(ハロゲンランプ 75W)／LED色調光反射パネル／寸胴有り］
【表４】
2008123921.tif 000006
【００３０】
［表５］  色調光照明装置の出光（照明光）色特性
［装置構成：赤緑青・３色光源］／LED色調光反射パネル／寸胴無し］
【表５】
2008123921.tif 000007
【００３１】
［表６］  色調光照明装置の出光（照明光）色特性
［装置構成：赤緑青・３色光源／LED色調光反射パネル／寸胴有り］
【表６】
2008123921.tif 000008
【００３２】
［表７］  色調光照明装置の出光（照明光）色特性
［装置構成：白色光源(ハロゲンランプ 75W)／LCD色調光反射パネル／寸胴無し］
【表７】
2008123921.tif 000009
【００３３】
［表８］  色調光照明装置の出光（照明光）色特性
［装置構成：赤緑青・３色光源／LCD色調光反射パネル／寸胴無し］
【表８】
2008123921.tif 000010
【００３４】
［表１］は、ＬＥＤ色調光反射パネル４１の発色反射面４１ａに映し出し表示するＬＥＤパネル表示色の特性を、実験結果に基づいて示したものである。［表１］に示されるところの意味を、［表１］の基準色５Ｒの欄の記載を例にして説明すると次の通りである。すなわち、［表１］の基準色５Ｒの欄は、マンセル表色系・４０色相環おける色・５Ｒ（赤色）を所望の照明光の色として選定し、その色・５Ｒに相当するＬＥＤパネル表示色を生成してＬＥＤ色調光反射パネル４１の発色反射面４１ａに映し出し表示する場合の実験結果を示しており、図４に示した色調光制御回路６ａの電流調整器ＣＲ，ＣＧ，ＣＢを調整して、赤色発光ダイオードＲに通ずるＬＥＤ電流を９０mA、緑色発光ダイオードＧに通ずるＬＥＤ電流を５mA、青色発光ダイオードＢに通ずるＬＥＤ電流を２mAにそれぞれ設定することにより、基準色５Ｒに相当するＬＥＤパネル表示色をＬＥＤ色調光反射パネル４１の発色反射面４１ａに映し出し表示できることを示し、且つその基準色５Ｒに相当するＬＥＤパネル表示色の色度図上の座標点はP1で、その座標点P1のＸ座標は0.623、Ｙ座標は0.303であることを示している。また、基準色５Ｒに相当するＬＥＤパネル表示色で発色しているＬＥＤパネルの照度が50.7 lxであったことも示している。そしてまた［表１］における基準色５Ｒ以外の基準色５ＲＰ，５Ｐ，５ＰＢ，５Ｂ，５ＢＧ，５Ｇ，５ＧＹ，５Ｙ，５ＹＲの欄に記されたところの意味も、上記の基準色５Ｒの欄について説明したところと全く同様で、上記の基準色５Ｒの欄に関する説明に準じて容易に理解されよう。
【００３５】
［表２］は、赤緑青・３色光源５２の照射光色の特性を、実験結果に基づいて示したものである。［表２］に示されるところの意味を、［表２］の基準色５Ｒの欄の記載を例にして説明すると次の通りである。［表２］の基準色５Ｒの欄は、マンセル表色系・４０色相環おける色・５Ｒ（赤色）を所望の照明光の色として選定し、その色・５Ｒに相当する色の照射光を赤緑青・３色光源５２で生成して色調光反射パネル４（ＬＥＤ色調光反射パネル４１あるいはＬＣＤ色調光反射パネル４２）の発色反射面４ａ（４１ａ，４２ａ）に向けて照射した場合の実験結果を示したもので、図６に示した赤緑青・３色光源５２の色調光制御回路の色調光器５３Ｒ，５３Ｇ，５３Ｂを調整して、赤色白熱電球５２Ｒに印加する電圧を７０V，緑色白熱電球５３Ｇに印加する電圧を６５V，青色白熱電球５２Ｂに印加する電圧を５０V，にそれぞれ設定することにより、基準色５Ｒに相当する３色光源照射光を生成し照射できることを示し、且つその基準色５Ｒに相当する３色光源照射光の色度図上の座標点はP'1で、その座標点P'1のＸ座標は0.668、Ｙ座標は0.301であることを示している。また、その基準色５Ｒに相当する３色光源の光源出力照度（光源照射光照度）が170 lxであったことも示している。また［表２］における基準色５Ｒ以外の基準色５ＲＰ，５Ｐ，５ＰＢ，５Ｂ，５ＢＧ，５Ｇ，５ＧＹ，５Ｙ，５ＹＲの欄に記されたところの意味も、上記の基準色５Ｒの欄について説明にしたところと全く同様で、上記の基準色５Ｒの欄に関する説明に照らして容易に理解されよう。
【００３６】
［表３］ないし［表８］は、この発明に係る種々の構成形態の色調光照明装置について、それらの装置から照射される出光すなわち照明光の色特性を計測した実験結果を示すものである。すなわち、光源５として白色光源５１あるいは赤緑青・３色光源５２を選択し、色調光反射パネル４としてＬＥＤ色調光パネル４１あるいはＬＣＤ色調光反射パネル４２を選択し、筒状Ｖ字形寸胴１の使用有無をも選択して、これらの光源５、色調光反射パネル４、筒状Ｖ字形寸胴１の選択肢を異にした構成形態の色調光照明装置について、前記の基準色基準色５Ｒ，５ＲＰ，５Ｐ，５ＰＢ，５Ｂ，５ＢＧ，５Ｇ，５ＧＹ，５Ｙ，５ＹＲにそれぞれ相当するＬＥＤパネル表示色あるいはＬＣＤパネル表示色を、ＬＥＤ色調光パネル４１の発色面４１ａあるいはＬＣＤ色調光反射パネル４２の発色反射面４２ａに映し出し表示させ、その状態のＬＥＤ色調光パネル４１の発色面４１ａあるいはＬＣＤ色調光反射パネル４２の発色反射面４２ａに向けて白色光源５１あるいは赤緑青・３色光源５２から照射光（入射光）Ｌ１をして発色反射面４１ａあるいは発色反射面４２ａで反射させ、その反射の過程で、発色反射面４１ａあるいは発色反射面４２ａに表示されたＬＥＤパネル表示色あるいはＬＣＤパネル表示色に賦色された出光（照明光）Ｌ２の色度と照度を計測し、同時に光源照度：A1とＬＥＤパネル照度あるいはＬＣＤパネル照度：A0および出光照度：Ａを計測して出光効率：Ｅを算定した計測実験結果を示している。なお、上記の出光効率Ｅは次式に基づいて算出している。
Ｅ＝［Ａ／（Ａ１+Ａ０）］×１００
但し、Ｅ：出光効率  [%]
Ａ：出光照度  [lx]
A1：光源照度 [lx]
A0：色調光パネル照度（ＬＥＤパネルあるいはＬＣＤパネルの照度） [lx]
【００３７】
図７は、［表１］で説明したＬＥＤ色調光反射パネル４１の色反射面４１ａに表示されたＬＥＤパネル表示色の色度座標点P1，P2，P3，P4，P5，P6，P7，P8，P9，P10と、［表２］に示した赤緑青・３色光源５２の照射光の色度座標点P'1，P'2，P'3，P'4，P'5，P'6，P'7，P'8，P'9，P'10の分布を色度図上で示したもので、ＬＥＤパネル表示色の色度座標点P1，P2，P3，P4，P5，P6，P7，P8，P9，P10 は同色度図中に黒丸印で示し、  赤緑青・３色光源照射光の色度座標点P'1，P'2，P'3，P'4，P'5，P'6，P'7，P'8，P'9，P'10 は同色度図中に黒三角印で示している。図７から明らかなように、基準色５Ｒ，５ＲＰ，５Ｐ，５ＰＢ，５Ｂ，５ＢＧ，５Ｇ，５ＧＹ，５Ｙ，５ＹＲに向けてそれぞれ色調光されたＬＥＤパネル表示色の色度座標点P1，P2，P3，P4，P5，P6，P7，P8，P9，P10と、赤緑青・３色光源の照射光の色度座標点P'1，P'2，P'3，P'4，P'5，P'6，P'7，P'8，P'9，P'10との間には、色度差（色ずれ）を示す距離が認められるが、それぞれ対応する色度座標点（P1とP'1；P2とP'2；P3とP'3；P4とP'4；P5とP'5；P6とP'6；P7とP'7；P8とP'8；P9とP'9；P10とP'10）は、P3とP'3；P4とP'4の対応を除いて、それぞれ同色領域内に収まっており、ＬＥＤパネル表示色と赤緑青・３色光源の照射光色が満足すべき程度に良く色調光されていることが認められる。したがって、前述の色調光操作によって、ＬＥＤパネル表示色の色度と赤緑青・３色光源照射光色の色度が近づくことから、赤緑青・３色光源５２からの照射光Ｌ１がＬＥＤ色調光反射パネル４１の色反射面４１ａで反射して出光（照明光）Ｌ２に転じる際に、照射光Ｌ１はＬＥＤパネル表示色に賦色され易くなり、所望の色の出光（照明光）が得られ易くなることが認められる。
【００３８】
また、［図８］、［図９］、［図１０］、［図１１］、［図１２］および［図１３］は、それぞれ［表３］、［表４］、［表５］、［表６］、［表７］、［表８］で示した、この発明に係る各種の色調光照明装置の出光（照明光）の色特性を、色度図の上で表したものである。
【００３９】
すなわち、図８は、白色光源とLED色調光反射パネルを備え筒状Ｖ字形寸胴は備えない色調光照明装置の出光（照明光）の色度図であり、図９は、白色光源とLED色調光反射パネルおよび筒状Ｖ字形寸胴を備えた色調光照明装置の出光（照明光）の色度図であり、図１０は、赤緑青・３色光源とLED色調光反射パネルを備え筒状Ｖ字形寸胴は備えない色調光照明装置の出光（照明光）の色度図であり、図１１は、赤緑青・３色光源とLED色調光反射パネルおよび筒状Ｖ字形寸胴を備えた色調光照明装置の出光（照明光）の色度図であり、図１２は、白色光源とLCD色調光反射パネルを備え筒状Ｖ字形寸胴は備えない色調光照明装置の出光（照明光）の色度図であり、図１３は、赤緑青・３色光源とLCD色調光反射パネルを備え筒状Ｖ字形寸胴は備えない色調光照明装置の出光（照明光）の色度図である。なお、図８，９，１２における座標点Ｎは、白色光源の色温度を示す点である。
【００４０】
そして、図８と図９を対比し、あるいは図１０と図１１を対比すれば明らかなように、筒状Ｖ字形寸胴１を備えれば、ＬＥＤパネル表示色（色度座標：Pn）と出光色・照明光色（色度座標：P'n）の間の色度差（色ずれ）が少なくなることが認められる。また、図８と図１０を対比し、あるいは図９と図１１を対比すれば明らかなように、光源の違いにより、すなわち赤緑青・３色光源を用いる方が、白色光源を用いる場合に比して、ＬＥＤパネル表示色（色度座標：Pn）と出光色・照明光色（色度座標：P'n）の間の色度差（色ずれ）が少なくなることが認められる。因みに、図１２から明らかなように、白色光源を用いた場合には、出光（照明光）の色が白色領域に強く引かれていることが分かる。
【産業上の利用可能性】
【００４１】
上記実施例の説明からも明らかなように、この発明に係る色調光照明装置は、電圧・電流制御による極めて簡単な色調光制御操作によって、照明光の色を極めて広範囲にわたって木目細かく且つ瞬時に変化させて、任意の所望の色の照明光を高い照度で照明対象に向けて照射することができ、また装置の大きさ、騒音、消費電力の縮減効果も高いことから、スタジオ照明や舞台照明あるいは美術館・博物館における照明に用いる色調光照明装置としてはもとより、商品展示用照明やイベント会場照明などの商用照明の分野をも含む幅広い産業分野で活用し得るものである。
【図面の簡単な説明】
【００４２】
【図１】この発明に係る色調光照明装置の側断面図。
【図２】この発明に係る色調光照明装置に用いる発光ダイオード色調光反射パネルの構成・機能説明用略断面図。
【図３】この発明に係る色調光照明装置に用いる液晶色調光反射パネルの構成・機能説明用略断面図。
【図４】上記発光ダイオード色調光反射パネルの色調光制御回路図。
【図５】上記液晶色調光反射パネルの色調光制御回路図。
【図６】この発明に係る色調光照明装置の光源に用いる赤緑青・３色光源の色調光制御回路図。
【図７】上記発光ダイオード色調光反射パネルの表示色ならびに上記赤緑青・３色光源の照射光の色度図。
【図８】この発明に係る色調光照明装置の照明光（出光）の色度図。（装置構成：白色光源／LED色調光反射パネル／寸胴無し）
【図９】この発明に係る色調光照明装置の照明光（出光）の色度図。（装置構成：白色光源／LED色調光反射パネル／寸胴有り）
【図１０】この発明に係る色調光照明装置の照明光（出光）の色度図。（装置構成：赤緑青・３色光源／LED色調光反射パネル／寸胴無し）
【図１１】この発明に係る色調光照明装置の照明光（出光）の色度図。（装置構成：赤緑青・３色光源／LED色調光反射パネル／寸胴有り）
【図１２】この発明に係る色調光照明装置の照明光（出光）の色度図。（装置構成：白色光源／LCD色調光反射パネル／寸胴無し）
【図１３】この発明に係る色調光照明装置の照明光（出光）の色度図。（装置構成：赤緑青・３色光源／LCD色調光反射パネル／寸胴無し）
【図１４】マンセル表色系・４０色相環図。
【符号の説明】
【００４３】
１  ：  筒状Ｖ字形寸胴
１ａ：  電源側寸胴部
１ｂ：  出光側寸胴部
１ｃ：  筒状Ｖ字形寸胴の屈曲部
１ｄ：  寸胴Ｖ字角度調整つまみ
２  ：  支柱
２ａ：  支柱調整つまみ
２ｂ：  支軸
３  ：  出光方向調整レバー
４  ：  色調光反射パネル
４ａ：  発色反射面
４１：  発光ダイオード色調光反射パネル（LED色調光反射パネル）（LEDパネル）
４１ａ：発光ダイオードカラーディスプレーの発色面を用いた発色反射面
４２：  液晶色調光反射パネル（LCD色調光反射パネル）（LCDパネル）
４２ａ：反射形液晶カラーディスプレーの発色面を用いた発色反射面
４２ｂ：偏光板
４２ｃ：共通電極
４２ｄｂ，４２ｄｇ，４２ｄｒ：サブ画素電極
４２ｅ：アレイ基板
４２ｆ：液晶
４２ｇ：偏光板
５  ：  光源
５１：  白色光源
５２：  赤緑青・３色光源
５２Ｂ：青色白熱電球
５２Ｇ：緑色白熱電球
５２Ｒ：赤色白熱電球
５３Ｂ，５３Ｇ，５３Ｒ：赤緑青・３色光源の色調光器
６  ：  色調光制御装置
６ａ：  発光ダイオード色調光反射パネルの発光ダイオードに通ずる電流を制御する色調光制御回路
６ｂ：  液晶色調光反射パネルの液晶に印加する電圧を制御する色調光制御回路
β  ：  寸胴Ｖ字角度
θ  ：  入射光Ｌ１と照明光（出光）Ｌ２の間の角度
Ｂ  ：  青色発光ダイオード
Ｇ  ：  緑色発光ダイオード
Ｒ  ：  赤色発光ダイオード
ＢＦ：  青色フィルター
ＧＦ：  緑色フィルター
ＲＦ：  赤色フィルター
ＣＢ，ＣＧ，ＣＲ：  電流調整器
ＶＢ，ＶＧ，ＶＲ：  電圧調整器
Ｌ１：  光源から色調光反射パネルへの照射光（入射光）
Ｌ２：  照明光（出光）
Ｍ１，Ｍ２，Ｍ３，Ｍ４，Ｍ５：矢印
Ｎ  ：  白色光源の色温度点
P1 〜P10：色調光反射パネル・発色反射面の表示色の色座標点
P'1〜P'10：照明光（出光）の色座標点
Ｗ  ：  照明対象
Ｘ  ：  色度Ｘ座標軸
Ｙ  ：  色度Ｙ座標軸
【図１】
2008123921.tif 000011
【図２】
2008123921.tif 000012
【図３】
2008123921.tif 000013
【図４】
2008123921.tif 000014
【図５】
2008123921.tif 000015
【図６】
2008123921.tif 000016
【図７】
2008123921.tif 000017
【図８】
2008123921.tif 000018
【図９】
2008123921.tif 000019
【図１０】
2008123921.tif 000020
【図１１】
2008123921.tif 000021
【図１２】
2008123921.tif 000022
【図１３】
2008123921.tif 000023
【図１４】
2008123921.tif 000024